(57)【要約】【課題】  刊行物に記載された情報とインターネットを介して提供される情報とを関連付けた取得を容易にする。【解決手段】  地図１０の各頁に、それぞれの頁に記載されている地域を示すデータを含むコードＣＤを形成する。携帯電話２０でコードＣＤを読み取り、情報管理会社５０のＷｅｂサーバ５１へ送信する。Ｗｅｂサーバ５１でコードＣＤを解析し地域データを取得する。Ｗｅｂサーバ５１は、携帯電話２０で選択されたサービス項目と解析した地域データに基づき、情報提供会社３０（４０）が提供する情報の中から地域データに基づいて該当する情報を抽出する。抽出された情報を携帯電話２０へ送信し表示させる。【選択図】        図１
2005159943.tif 000002
【特許請求の範囲】
【請求項１】
情報提供者から通信ネットワークを介して提供される所定の情報にアクセスするための、情報表示媒体に形成される情報コードを読み取り、通信ネットワークを介して発信するデータ発信手段と、
前記情報コードを受信し、前記情報コードに含まれるデータを解析し、前記所定の情報の中から前記データに関連する特定の情報を抽出し、通信ネットワークを介して発信する情報抽出手段と、
前記情報抽出手段により抽出される前記特定の情報を受信し表示する表示手段とを備えることを特徴とする情報提供システム。
【請求項２】
前記情報表示媒体は表示する情報が印刷されている印刷物であることを特徴とする請求項１に記載の情報提供システム。
【請求項３】
前記印刷物が地図であり、
前記データが、前記地図において前記情報コードの形成された頁に記載された地域の場所を示すデータであり、
前記特定の情報が前記地域に存在する施設及び店舗を含む情報であることを特徴とする請求項２に記載の情報提供システム。
【請求項４】
前記印刷物が地図であり、
前記データが、前記地図において前記情報コードの形成された頁を示すデータであり、
前記情報抽出手段が、前記頁データと前記情報コードの形成された頁に記載された地域の場所を示すデータとを関連付けて記憶する記憶手段を有し、
前記特定の情報が前記地域に存在する施設及び店舗を含む情報であることを特徴とする請求項２に記載の情報提供システム。
【請求項５】
前記特定の情報と共に前記頁内における前記施設や店舗等の位置情報が前記表示手段により表示されることを特徴とする請求項２乃至４のいずれかに記載の情報提供システム。
【請求項６】
前記位置情報は、前記頁を縦方向に沿って所定の行数で分割し、横方向に沿って所定の列数で分割したマトリックスにおける列及び行の組合せで定義されることを特徴とする請求項５に記載の情報提供システム。
【請求項７】
携帯用通信端末が前記データ発信手段及び前記表示手段を兼用することを特徴とする請求項１乃至６のいずれかに記載の情報提供システム。
【請求項８】
前記データ発信手段が前記情報コードを読み取るためのコードリーダであり、前記表示手段が通信ネットワークに接続可能なコンピュータシステムであり、前記コードリーダは前記コンピュータシステムに接続されることを特徴とする請求項１乃至６のいずれかに記載の情報提供システム。
【請求項９】
前記所定の情報が前記情報表示媒体に記載された文字列に関連する情報であることを特徴とする請求項１に記載の情報提供システム。
【請求項１０】
情報表示媒体に形成された情報コードを読み取るための読取手段から読み取られたデータを通信ネットワークを介して受信し、情報提供者から通信ネットワークを介して提供される所定の情報の中から前記データに基づいて特定の情報を抽出することを特徴とするＷｅｂサーバ。
【請求項１１】
前記情報表示媒体は表示する情報が印刷されている印刷物であることを特徴とする請求項１０に記載のＷｅｂサーバ。
【請求項１２】
情報提供者から通信ネットワークを介して提供される所定の情報にアクセスするための情報コードが形成された情報表示媒体であって、
前記情報コードに含まれるデータは、当該データに基づいて前記所定の情報の中から特定の情報を抽出するＷｅｂサーバに送信されることを特徴とする情報表示媒体。
【請求項１３】
前記情報表示媒体は表示する情報が印刷されている印刷物であることを特徴とする請求項１２に記載の情報表示媒体。
【発明の詳細な説明】
【技術分野】
【０００１】
本発明は、通信ネットワークを介して提供される情報へのアクセスに関する。
【背景技術】
【０００２】
近年のインターネット等の通信手段の発達により、さまざまな情報がパソコンや携帯電話等のリモート端末を介して得ることができる。また、頒布目的で提供される刊行物のように紙に印刷された情報も依然として重要な情報源である。
【発明の開示】
【発明が解決しようとする課題】
【０００３】
刊行物等の印刷物に搭載される情報量は紙面の制限があり限られている。一方、インターネット上のサイトで提供される情報の情報量は刊行物のような制限はないが、アクセスするためには上述のリモート端末及び通信環境が必要である。従って、刊行物で得た情報の関連情報をインターネット上で得ようとすると、リモート端末で該当するサイトを検索したり、あるいは該当するサイトのＵＲＬを手入力するという作業が必要であり、利用者の負担が大きい。
【０００４】
本発明は、以上の問題を解決するものであり、通信ネットワーク上で提供される情報へのアクセスを簡便なものとすることを目的とする。
【課題を解決するための手段】
【０００５】
本発明に係る情報提供システムは、情報提供者から通信ネットワークを介して提供される所定の情報にアクセスするための、情報表示媒体に形成される情報コードを読み取り、通信ネットワークを介して発信するデータ発信手段と、情報コードを受信し、情報コードに含まれるデータを解析し、所定の情報の中からデータに関連する特定の情報を抽出し、通信ネットワークを介して発信する情報抽出手段と、情報抽出手段により抽出される特定の情報を受信し表示する表示手段とを備えることを特徴とする。情報表示媒体は、例えば表示する情報が印刷されている印刷物である。
【０００６】
例えば印刷物が地図であり、情報コードに含まれるデータが、地図において情報コードの形成された頁に記載された地域の場所を示すデータであり、特定の情報が地域に存在する施設及び店舗を含む情報である。
【０００７】
また、情報コードに含まれるデータは、地図において情報コードの形成された頁を示すデータでもよい。この場合、情報抽出手段は、頁データと情報コードの形成された頁に記載された地域の場所を示すデータとを関連付けて記憶する記憶手段を有するよう構成される。
【０００８】
好ましくは、特定の情報と共に情報コードの形成された頁内における施設や店舗等の位置情報が表示手段により表示されてもよい。
【０００９】
特定の情報と共に表示される位置情報は、例えば、頁を縦方向に沿って所定の行数で分割し、横方向に沿って所定の列数で分割したマトリックスにおける列及び行の組合せで定義される。
【００１０】
例えば、携帯用通信端末がデータ発信手段及び表示手段を兼用してもよい。また、データ発信手段が情報コードを読み取るためのコードリーダであり、表示手段が通信ネットワークに接続可能なコンピュータシステムであり、コードリーダがコンピュータシステムに接続されていてもよい。
【００１１】
例えば、上述の所定の情報が情報表示媒体に記載された文字列に関連する情報であってもよい。
【００１２】
本発明に係るＷｅｂサーバは、情報表示媒体に形成された情報コードを読み取るための読取手段から読み取られたデータを通信ネットワークを介して受信し、情報提供者から通信ネットワークを介して提供される所定の情報の中から読取データに基づいて特定の情報を抽出することを特徴とする。情報表示媒体は、例えば表示する情報が印刷されている印刷物である。
【００１３】
本発明に係る情報表示媒体は、情報提供者から通信ネットワークを介して提供される所定の情報にアクセスするための情報コードが形成された情報表示媒体であって、情報コードに含まれるデータは、当該データに基づいて所定の情報の中から特定の情報を抽出するＷｅｂサーバに送信されることを特徴とする。情報表示媒体は、例えば表示する情報が印刷されている印刷物である。
【発明の効果】
【００１４】
以上のように、本発明によれば、情報表示媒体に記載された情報と通信ネットワークを介して提供される情報が、情報表示媒体に形成される情報コードを介して容易にリンクされる。従って、情報表示媒体に搭載しきれないより多くの情報を容易に手に入れることができ、情報表示媒体の利用価値が向上する。
【発明を実施するための最良の形態】
【００１５】
図１は本発明に係る第１実施形態が適用される情報提供システムのシステム構成図である。地図１０の各頁には２次元コードであるコードＣＤが印刷されている。第１実施形態では、コードＣＤとして例えばＱＲコード（株式会社デンソーウェーブの登録商標）が用いられる。コードＣＤには、当該頁に記載されている地域の位置情報を示すデータが含まれる。携帯電話２０はコードＣＤの読取機能を備えており、通信業者のゲートウェイ２１を介してインターネットに接続される。情報提供会社３０及び４０は、それぞれインターネットに接続されたＷｅｂサーバ３１、４１、及びデータベーース３２、４２を有する。情報提供会社３０はデータベース３２に蓄積された情報に基づいて飲食店の店舗情報の提供を行い、情報提供会社４０はデータベース４２に蓄積された情報に基づいて宿泊施設の提供を行う。情報管理会社５０は、携帯電話２０の利用者からの要求に基づいて、情報提供会社３０、４０が提供する情報から特定の情報を適宜抽出し、携帯電話２０の利用者へ提示する。これらの処理は、情報管理会社のＷｅｂサーバ５１を介して行われる。
【００１６】
図２は第１実施形態における情報提供サービスの流れを示すフローチャートである。
携帯電話２０の利用者が地図１０のある頁に印刷されたコードＣＤを携帯電話２０のＱＲコード読取機能を利用して読み取ったことが確認されると（ステップＳ１００でＹＥＳ）、コードＣＤが携帯電話２０からゲートウェイ２１、インターネットを介して情報管理会社５０のＷｅｂサーバ５１へ送信される（ステップＳ１０２）。第１実施形態の説明において、渋谷区のあるエリアが記載されている頁のコードＣＤが読み取られたものとして以降の説明を行う。
【００１７】
Ｗｅｂサーバ５１では、コードＣＤを受信すると（ステップＳ１０４）、コードＣＤに含まれるデータを解析する（ステップＳ１０６）。第１実施形態においてコードＣＤに含まれるデータとは、コードＣＤが印刷されている頁に記載されている地域を示すデータ（地域データ）である。すなわち、上述の渋谷区のあるエリアを示す地域データが解析される。次いでステップＳ１０８において、情報管理会社５０が提供するサービスの項目と地域データを携帯電話２０へ送信する。サービスの項目は、情報提供会社３０及び４０が提供する情報に対応している。すなわち、第１実施形態においては、飲食店情報の提供と宿泊施設情報の提供がサービス項目となる。
【００１８】
携帯電話２０が提供するサービスの項目と地域データを受信すると（ステップＳ１１０）、これら受信データは図３に示されるようなレイアウトで画面に表示される（ステップＳ１１２）。携帯電話２０では、利用者によりサービス項目が選択されたかチェックされ（ステップＳ１１４）、サービス項目が選択されたことが確認されたら（Ｓ１１４でＹＥＳ）、選択されたサービス項目がＷｅｂサーバ５１へ送信される（ステップＳ１１６）。以降の説明は、図３の画面において「グルメ情報検索」が選択されたものとして行う。
【００１９】
Ｗｅｂサーバ５１では、利用者が「グルメ情報検索」を選択したことを受信すると（ステップＳ１１８）、情報提供会社３０が提供する飲食店情報の中から、上述のステップＳ１０６で解析した地域データに基づいて、特定の飲食店の情報を抽出する（ステップＳ１２０）。すなわち、コードＣＤが印刷されている頁に記載されている地域、渋谷区のあるエリアに存在する飲食店の情報のみを抽出する。次いで、抽出した情報を携帯電話２０へ送信する（ステップＳ１２２）。
【００２０】
携帯電話２０が抽出された飲食店情報を受信すると（ステップＳ１２４）、これら受信データは図４に示すレイアウトで画面に表示される（ステップＳ１２６）。図４に示されるように、飲食店の店名と共に、地図１０の頁における当該飲食店の位置情報（「Ａ３」「Ｂ２」等）も表示される。地図１０の各頁には、縦方向に沿って所定の行数で分割し、各行にアルファベットを順次割当て、横方向に沿って所定の列数で分割し、各列に数字を順次割当てて構成されるマトリックスが形成されている。飲食店の位置は、このマトリックスにおける列及び行の組合せで定義される。
【００２１】
利用者が飲食店のリストからいずれか１つの飲食店を選択すると、情報提供会社３０のＷｅｂサーバ３１へ当該データが送信される。選択された飲食店の詳細情報が取得され、携帯電話２０へ返信される。
【００２２】
尚、利用者により「宿泊情報検索」が選択された場合は、情報提供会社４０から提供される情報の中から、コードＣＤが印刷された頁に記載された地域に存在するホテル、旅館等の情報が抽出される。
【００２３】
図５は本発明に係る第２実施形態が適用される情報提供システムのシステム構成図である。第２実施形態において、地図１０に形成されたコードＣＤは、コードリーダ６０により読み取られる。コードリーダ６０はパソコン６１に接続されており、読み取られたコードＣＤは、パソコン６１、インターネットを介して情報管理会社５０のＷｅｂサーバ５１へ送信される。Ｗｅｂサーバ５１では第１実施形態と同様の処理が実行され、上述の特定の情報が抽出される。抽出されたデータは、パソコン６１に送信され、モニタに図３と同様の画面が表示される。Ｗｅｂサーバ５１とコードリーダ６０、パソコン６１との間の処理手順は第１実施形態と同様であるので説明は省略する。
【００２４】
以上のように、第１及び第２実施形態によれば、地図１０という書店等で購入できる刊行物に記載された情報と、インターネットを介して提供される情報とを容易にリンクして利用することができる。その結果、刊行物には搭載し切れない大量の情報を簡便な操作で刊行物の購入者に提供することができる。
【００２５】
また、刊行物自体に情報コードという付加価値を付けることになるため、刊行物の利用価値が高まり売上げ向上に貢献することができる。
【００２６】
情報提供会社３０、４０のデータベース３２、４２は情報提供会社３０、４０自身により常に更新されるため、地図１０のコードＣＤを介して提供される情報は最新のものとなる。すなわち、発行日から年数が経過しても地図１０の利用価値が低下することはない。
【００２７】
また、飲食店の店名や施設名と共に、地図１０の頁における当該店舗・施設の位置情報（「Ａ３」「Ｂ２」等）を表示することにより、利用者は地図１０でその位置を即座に発見することができる。従って、携帯電話２０の限られた画面に微小な地図を表示させる必要がない。
【００２８】
第１及び第２実施形態では、利用者が携帯電話２０及びコードリーダ６０でコードＣＤを読み取る度に上述のステップＳ１２０の情報抽出が実行されるが、これに限るものではない。情報管理会社５０のＷｅｂサーバ５１で、定期的に情報抽出を実行し、抽出された情報をデータベース５２に蓄積しておき、利用者からの要求があったときにその蓄積情報を提供するというシステム構成としてもよい。このシステム構成によれば、ステップＳ１２０及びＳ１２２の処理が速やかに行われるため、応答速度をより速めることができる。
【００２９】
第１及び第２実施形態では、コードＣＤが形成される情報表示媒体を地図としているがこれに限るものではない。コードＣＤを介して、文章中の用語（例えば、店舗名・施設名）と情報提供会社がインターネット上で提供する情報とがリンクされる構成としてもよい。
【００３０】
さらに、コードＣＤが形成される媒体は地図のような印刷物に限られない。例えば、ポスター、駅の行き先表示板、電車の中吊り広告、フラットディスプレイに表示される広告、パソコンのディスプレイ、一般の書店や売店等では販売されない特定グループの非刊行物の書類等にも、コードＣＤを形成し、上述のシステムによる情報抽出を提供することも可能である。
【００３１】
また、第１及び第２実施形態では、コードＣＤには地域データが含まれているがこれに限るものではなく、コードＣＤが形成された頁を示すデータが含まれるものとしもよい。この場合、情報管理会社５０のデータベース５２には、頁を示すデータと地域データとを関連付けたテーブルを格納し、コードＣＤを受信したＷｅｂサーバ５１は、上述のステップＳ１０６の処理において、受信データを解析し、その結果に基づいて当該テーブルから地域データを取得するという構成としてもよい。
【００３２】
情報管理会社５０では、携帯電話２０の利用者の個人情報をデータベース５２に記憶させておき、個々の利用者の嗜好に合わせたより細やかな情報提供をすることも可能である。
【００３３】
第１及び第２実施形態のシステム構成は情報提供会社が２つであるがこれに限るものではない。
【図面の簡単な説明】
【００３４】
【図１】本発明に係る第１実施形態が適用される情報提供システムのシステム構成を示す図である。
【図２】情報提供システムにおけるサービスの流れを示すフローチャートである。
【図３】コードを読み取った後、最初に携帯電話に表示される画面の一例である。
【図４】店舗情報と共に地図における店舗の位置を示す情報が表示される画面の一例である。
【図５】本発明に係る第２実施形態が適用される情報提供システムのシステム構成を示す図である。
【符号の説明】
【００３５】
１０  地図
２０  携帯電話
２１  ゲートウェイ
３０、４０  情報提供会社
５０  情報管理会社
５１  Ｗｅｂサーバ
【図１】
2005159943.tif 000003
【図２】
2005159943.tif 000004
【図３】
2005159943.tif 000005
【図４】
2005159943.tif 000006
【図５】
2005159943.tif 000007